(57)【要約】【課題】信号の経路を制御する箇所において、アイソレーションを強固にすることによって、信号が所望の経路外へ漏れるのを削減することができる無線回路を提供する。【解決手段】ミキサ１０は、送信時に中間周波数帯の送信信号を無線周波数帯の送信信号に変換し、かつ受信時に無線周波数帯の受信信号を中間周波数帯の受信信号に変換する。スイッチ１２は、送信時に経路（１）とミキサ１０とを接続し、受信時に経路（２）とミキサ１０とを接続する。スイッチ６は、送信時に経路（３）とミキサ１０とを接続し、受信時に経路（４）とミキサ１０とを接続する。スイッチ１３は、経路（１）上に設けられ、中間周波数帯の送信信号が流れる方向と逆方向の信号の流れを抑制する。スイッチ７は、経路（４）上に設けられ、無線周波数帯の受信信号が流れる方向と逆方向の信号の流れを抑制する。【選択図】図１
2012151734.tif 000002
【特許請求の範囲】
【請求項１】
送信時に中間周波数帯の送信信号と局部発振信号とを混合して、無線周波数帯の送信信号に変換し、かつ受信時に無線周波数帯の受信信号と局部発振信号とを混合して、中間周波数帯の受信信号に変換するミキサと、
中間周波数帯の送信信号の経路である第１の経路と中間周波数帯の受信信号の経路である第２の経路との交点に設けられ、送信時に前記第１の経路と前記ミキサとを接続し、受信時に前記第２の経路と前記ミキサとを接続する第１の経路制御素子と、
無線周波数帯の送信信号の経路である第３の経路と無線周波数帯の受信信号の経路である第４の経路との交点に設けられ、送信時に前記第３の経路と前記ミキサとを接続し、受信時に前記第４の経路と前記ミキサとを接続する第２の経路制御素子と、
前記第１の経路上に設けられ、前記中間周波数帯の送信信号が流れる方向と逆方向の信号の流れを抑制する第３の経路制御素子と、
前記第４の経路上に設けられ、前記無線周波数帯の受信信号が流れる方向と逆方向の信号の流れを抑制する第４の経路制御素子とを備えた、無線回路。
【請求項２】
前記第１の経路制御素子は、前記ミキサと接続される第１の端子、前記第１の経路と接続される第２の端子、および前記第２の経路と接続される第３の端子を有するスイッチであり、
送信時には、前記第１の端子と前記第２の端子とが接続し、受信時には、前記第１の端子と前記第３の端子とが接続する、請求項１記載の無線回路。
【請求項３】
前記第２の経路制御素子は、前記ミキサと接続される第１の端子、前記第３の経路と接続される第２の端子、および前記第４の経路と接続される第３の端子を有するスイッチであり、
送信時には、前記第１の端子と前記第２の端子とが接続し、受信時には、前記第１の端子と前記第３の端子とが接続する、請求項１記載の無線回路。
【請求項４】
前記第３の経路制御素子は、前記第１の経路上の第１の端子、前記第１の経路上の第２の端子、および固定電位に接続される第３の端子を有するスイッチであり、前記第１の端子は、前記第２の端子よりも前記第１の経路制御素子側にあり、
送信時には、前記第１の端子と前記第２の端子とが接続し、受信時には、前記第１の端子と前記第３の端子とが接続する、請求項１記載の無線回路。
【請求項５】
前記第４の経路制御素子は、前記第４の経路上の第１の端子、前記第４の経路上の第２の端子、および固定電位に接続される第３の端子を有するスイッチであり、前記第１の端子は、前記第２の端子よりも前記第３の経路制御素子側にあり、
受信時には、前記第１の端子と前記第２の端子とが接続し、送信時には、前記第１の端子と前記第３の端子とが接続する、請求項１記載の無線回路。
【請求項６】
前記第１の経路制御素子は、前記ミキサと接続される第１の端子、前記第２の経路と接続される第２の端子、および前記第１の経路と接続される第３の端子を有するサーキュレータであり、前記第３の端子に入力された信号は、前記第１の端子から出力され、前記第１の端子に入力された信号は、前記第２の端子から出力される、請求項１記載の無線回路。
【請求項７】
前記第２の経路制御素子は、前記ミキサと接続される第１の端子、前記第３の経路と接続される第２の端子、および前記第４の経路と接続される第３の端子を有するサーキュレータであり、前記第１の端子に入力された信号は、前記第２の端子から出力され、前記第３の端子に入力された信号は、前記第１の端子から出力される、請求項１記載の無線回路。
【請求項８】
前記第３の経路制御素子は、前記第１の経路上の第１の端子、前記第１の経路上の第２の端子と、第３の端子とを有するサーキュレータであり、前記第２の端子は、前記第１の端子よりも前記第１の経路制御素子側にあり、
前記第１の端子に入力された信号は、前記第２の端子から出力される、請求項１記載の無線回路。
【請求項９】
前記第４の経路制御素子は、前記第４の経路上の第１の端子、前記第４の経路上の第２の端子と、第３の端子とを有するサーキュレータであり、前記第２の端子は、前記第１の端子よりも前記第３の経路制御素子側にあり、
前記第１の端子に入力された信号は、前記第２の端子から出力される、請求項１記載の無線回路。
【請求項１０】
前記無線回路は、さらに、
前記第２の経路上に設けられ、前記中間周波数帯の受信信号が流れる方向と逆方向の信号の流れを抑制する第５の経路制御素子と、
前記第３の経路上に設けられ、前記無線周波数帯の送信信号が流れる方向と逆方向の信号の流れを抑制する第６の経路制御素子とを備えた、請求項１記載の無線回路。
【請求項１１】
前記第５の経路制御素子は、前記第２の経路上の第１の端子、前記第２の経路上の第２の端子、および固定電位に接続される第３の端子を有するスイッチであり、前記第１の端子は、前記第２の端子よりも前記第１の経路制御素子側にあり、
受信時には、前記第１の端子と前記第２の端子とが接続し、送信時には、前記第１の端子と前記第３の端子とが接続する、請求項１０記載の無線回路。
【請求項１２】
前記第６の経路制御素子は、前記第３の経路上の第１の端子、前記第３の経路上の第２の端子、および固定電位に接続される第３の端子を有するスイッチであり、前記第１の端子は、前記第２の端子よりも前記第３の経路制御素子側にあり、
送信時には、前記第１の端子と前記第２の端子とが接続し、受信路には、前記第１の端子と前記第３の端子とが接続する、請求項１０記載の無線回路。
【請求項１３】
送信時に中間周波数帯の送信信号と局部発振信号とを混合して、無線周波数帯の送信信号に変換し、かつ受信時に無線周波数帯の受信信号と局部発振信号とを混合して、中間周波数帯の受信信号に変換するミキサと、
中間周波数帯の送信信号の経路である第１の経路と中間周波数帯の受信信号の経路である第２の経路との交点に設けられ、送信時に前記第１の経路と前記ミキサとを接続し、受信時に前記第２の経路と前記ミキサとを接続する第１の経路制御素子と、
無線周波数帯の送信信号の経路である第３の経路と無線周波数帯の受信信号の経路である第４の経路との交点に設けられ、送信時に前記第３の経路と前記ミキサとを接続し、受信時に前記第４の経路と前記ミキサとを接続する第２の経路制御素子と、
前記第２の経路上に設けられ、前記中間周波数帯の受信信号が流れる方向と逆方向の信号の流れを抑制する第５の経路制御素子と、
前記第３の経路上に設けられ、前記無線周波数帯の送信信号が流れる方向と逆方向の信号の流れを抑制する第６の経路制御素子とを備えた、無線回路。
【発明の詳細な説明】
【技術分野】
【０００１】
本発明は、無線回路に関する。
【背景技術】
【０００２】
従来から、無線信号の送受信回路の構成として、スーパーヘテロダイン方式が用いられている（たとえば、特許文献１（特開平６−２５２７９２号公報）を参照）。スーパーヘテロダイン方式では、送信部は、送信信号をベースバンド信号から直接、無線周波数の信号に変換するのではなく、中間周波数の信号に変換して種々の処理を行なった後に、無線周波数の信号に変換する。また、受信部は、受信信号を無線周波数の信号から直接ベースバンド信号に変換するのではなく、中間周波数の信号に変換して種々の処理を行なった後に、ベースバンドの信号に変換する。
【０００３】
一般に、スーパーヘテロダイン方式の無線通信回路は、送信部と受信部に、それぞれミキサおよびバンドパスフィルタが含まれる。しかしながら、送信と受信が同時に行なわれない場合には、１つのミキサおよびバンドバスフィルタで送信と受信とを兼用させることが可能である。
【０００４】
図１１は、ミキサおよびバンドパスフィルタを送信と受信で兼用した無線回路の構成、および送信時の信号の流れを表わす図である。図１２は、ミキサおよびバンドパスフィルタを送信と受信で兼用した無線回路の構成、および受信時の信号の流れを表わす図である。
【０００５】
図１１および図１２に示すように、ミキサ１０およびバンドパスフィルタ９、１１が送信と受信で兼用されている。これによって、無線回路の規模を縮小することができる。
【先行技術文献】
【特許文献】
【０００６】
【特許文献１】特開平６−２５２７９２号公報
【発明の概要】
【発明が解決しようとする課題】
【０００７】
（送信時の信号の流れ）
図１１を参照すると、送信時には、ＤＡＣ（Digital-Analog Converter)１７→アンプ１５→スイッチ１２→バンドパスフィルタ１１→ミキサ１０→バンドパスフィルタ９→スイッチ６→アンプ４→サーキュレータ３→送受信アンテナ２の順に信号が流れる。
【０００８】
ここで、経路を制御する素子であるスイッチ１２のアイソレーションが完全ではない（２５〜３０ｄＢのアイソレーション）ため、スイッチ１２に入力された信号の一部がアンプ１６の方へ漏れ出す。漏れ出した信号は、アンプ１６およびＡＤＣ１８を経て、ベースバンド処理部に送られるので、ベースバンド処理部でなんらかの誤った処理がなされる可能性がある。
【０００９】
また、経路を制御する素子であるスイッチ６のアイソレーションが完全ではない（２５〜３０ｄＢのアイソレーション）ため、スイッチ６に入力された信号の一部がアンプ１５の方へ漏れ出す。漏れ出した信号によって、アンプ１５に逆方向に電圧がかかるので、アンプ１５を故障させたり、または寿命を短くしたりする。
【００１０】
（受信時の信号の流れ）
図１２を参照すると、受信時には、送受信アンテナ２→サーキュレータ３→アンプ５→スイッチ６→バンドパスフィルタ９→ミキサ１０→バンドパスフィルタ１１→スイッチ１２→アンプ１６→ＡＤＣ(Analog-Digital Converter)１８に信号が流れる。
【００１１】
ここで、経路を制御する素子であるスイッチ６のアイソレーションが完全ではない（２５〜３０ｄＢのアイソレーション）ため、スイッチ６に入力された信号の一部がアンプ４の方へ漏れ出す。漏れ出した信号は、アンプ４およびサーキュレータ３を経て、送受信アンテナ２に送られるので、送受信アンテナ２から何らかの意味のない信号が送信される可能性がある。
【００１２】
また、経路を制御する素子であるスイッチ１２のアイソレーションが完全ではない（２５〜３０ｄＢのアイソレーション）ため、スイッチ１２に入力された信号の一部がアンプ１５の方へ漏れ出す。漏れ出した信号によって、アンプ１５に逆方向に電圧がかかるので、アンプ１５を故障させたり、または寿命を短くしたりする。
【００１３】
それゆえに、本発明の目的は、信号の経路を制御する箇所において、アイソレーションを強固にすることによって、信号が所望の経路外へ漏れるのを削減することができる無線回路を提供することである。
【課題を解決するための手段】
【００１４】
上記課題を解決するために、本発明の無線回路は、送信時に中間周波数帯の送信信号と局部発振信号とを混合して、無線周波数帯の送信信号に変換し、かつ受信時に無線周波数帯の受信信号と局部発振信号とを混合して、中間周波数帯の受信信号に変換するミキサと、中間周波数帯の送信信号の経路である第１の経路と中間周波数帯の受信信号の経路である第２の経路との交点に設けられ、送信時に第１の経路とミキサとを接続し、受信時に第２の経路とミキサとを接続する第１の経路制御素子と、無線周波数帯の送信信号の経路である第３の経路と無線周波数帯の受信信号の経路である第４の経路との交点に設けられ、送信時に第３の経路とミキサとを接続し、受信時に第４の経路とミキサとを接続する第２の経路制御素子と、第１の経路上に設けられ、中間周波数帯の送信信号が流れる方向と逆方向の信号の流れを抑制する第３の経路制御素子と、第４の経路上に設けられ、無線周波数帯の受信信号が流れる方向と逆方向の信号の流れを抑制する第４の経路制御素子とを備える。
【発明の効果】
【００１５】
本発明によれば、信号の経路を制御する箇所において、アイソレーションを強固にすることによって、信号が所望の経路外へ漏れるのを削減することができる。
【図面の簡単な説明】
【００１６】
【図１】第１の実施形態の無線回路の構成と、この無線回路における送信時の信号の流れを説明するための図である。
【図２】第１の実施形態の無線回路における受信時の信号の流れを説明するための図である。
【図３】第１の実施形態の変形例１の無線回路の構成と、この無線回路における送信時の信号の流れを説明するための図である。
【図４】第１の実施形態の変形例１の無線回路における受信時の信号の流れを説明するための図である。
【図５】第１の実施形態の変形例２の無線回路の構成と、この無線回路における送信時の信号の流れを説明するための図である。
【図６】第１の実施形態の変形例２の無線回路における受信時の信号の流れを説明するための図である。
【図７】第２の実施形態の無線回路の構成と、この無線回路における送信時の信号の流れを説明するための図である。
【図８】第２の実施形態の無線回路における受信時の信号の流れを説明するための図である。
【図９】第３の実施形態の無線回路の構成を説明するための図である。
【図１０】第４の実施形態の無線回路の構成を説明するための図である。
【図１１】ミキサおよびバンドパスフィルタを送信と受信で兼用した無線回路の構成、および送信時の信号の流れを表わす図である。
【図１２】ミキサおよびバンドパスフィルタを送信と受信で兼用した無線回路の構成、および受信時の信号の流れを表わす図である。
【発明を実施するための形態】
【００１７】
以下、本発明の実施形態について図面を参照して説明する。
［第１の実施形態］
図１は、第１の実施形態の無線回路の構成と、この無線回路における送信時の信号の流れを説明するための図である。
【００１８】
図１を参照して、この無線回路１は、ＤＡＣ１７と、アンプ１５と、スイッチ１３と、スイッチ１４と、アンプ１６と、スイッチ１２と、ＡＤＣ１８と、バンドパスフィルタ１１と、ミキサ１０と、バンドパスフィルタ９と、スイッチ６と、スイッチ８と、スイッチ７と、アンプ４と、サーキュレータ３と、アンプ５と、送受信アンテナ２と、局部発振器８１とを備える。
【００１９】
ＤＡＣ１７と、アンプ１５と、スイッチ１３とは、中間周波数帯の送信信号が流れる経路（１）に設けられる。スイッチ１４と、アンプ１６と、ＡＤＣ１８とは、中間周波数帯の受信信号が流れる経路（２）に設けられる。スイッチ８と、アンプ４とは、無線周波数帯の送信信号が流れる経路（３）に設けられる。アンプ５と、スイッチ７とは、無線周波数帯の受信信号が流れる経路（４）に設けられる。
【００２０】
経路（１）と経路（２）の交点に、スイッチ１２が設けられる。経路（３）と経路（４）の交点に、スイッチ６が設けられる。
【００２１】
ＤＡＣ１７は、図示しないベースバンド処理部から出力されるベースバンド信号を中間周波数帯のアナログ信号に変換して、アンプ１５へ出力する。
【００２２】
アンプ１５は、ＤＡＣ１７から出力される中間周波数帯の信号を増幅して、スイッチ１３へ出力する。
【００２３】
アンプ１６は、スイッチ１４から出力される中間周波数帯の信号を増幅して、ＡＤＣ１８へ出力する。
【００２４】
ＡＤＣ１８は、アンプ１６から出力される中間周波数帯の信号をデジタル信号に変換してベースバンド処理部に出力する。
【００２５】
スイッチ１２は、端子Ｐ１と、端子Ｐ２と、端子Ｐ３とを有する。端子Ｐ１は、バンドパスフィルタ１１を介してミキサ１０と接続する。端子Ｐ２は、経路（１）と接続する。端子Ｐ３は、経路（２）と接続する。送信時には、端子Ｐ１と端子Ｐ２とが接続することによって、ミキサ１０が、バンドパスフィルタ１１を介して経路（１）と接続する。受信時には、端子Ｐ１と端子Ｐ３とが接続することによって、ミキサ１０が、バンドパスフィルタ１１を介して経路（２）と接続する。
【００２６】
スイッチ１３は、端子Ｐ１と、端子Ｐ２と、端子Ｐ３とを有する。端子Ｐ１と端子Ｐ２とは、経路（１）上にある。端子Ｐ１は端子Ｐ２よりも、スイッチ１２側にある。端子Ｐ３は、抵抗Ｒを介してグランドに接続されることによって、固定電位と接続する。送信時には、端子Ｐ１と端子Ｐ２とが接続することによって、中間周波数帯の送信信号が経路（１）を流れる。受信時には、端子Ｐ１と端子Ｐ３とが接続することによって、経路（１）に中間周波数帯の送信信号が流れる順方向と逆方向にスイッチ１２から漏れ出した受信信号の漏れ信号が流れるのを抑制する。
【００２７】
スイッチ１４は、端子Ｐ１と、端子Ｐ２と、端子Ｐ３とを有する。端子Ｐ１と端子Ｐ２とは、経路（２）上にある。端子Ｐ１は端子Ｐ２よりも、スイッチ１２側にある。端子Ｐ３は、抵抗Ｒを介してグランドに接続されることによって、固定電位と接続する。受信時には、端子Ｐ１と端子Ｐ２とが接続することによって、中間周波数帯の受信信号が経路（２）を流れる。送信時には、端子Ｐ１と端子Ｐ３とが接続することによって、経路（２）に中間周波数帯の受信信号が流れる順方向と逆方向にスイッチ１２から漏れ出した送信信号の漏れ信号が流れるのを抑制する。
【００２８】
バンドパスフィルタ１１は、送信時には、スイッチ１２から出力される中間周波数帯の信号から不要な信号成分を除去して、ミキサ１０へ出力する。バンドパスフィルタ１１は、受信時には、ミキサ１０から出力される中間周波数帯の信号から不要な信号成分を除去して、スイッチ１２へ出力する。
【００２９】
ミキサ１０は、送信時には、バンドパスフィルタ１１から出力される中間周波数帯の信号と局部発振器８１から出力される局部発振信号Ｌｏとを乗算して、アップコンバートした無線周波数帯の信号をバンドパスフィルタ９に出力する。ミキサ１０は、受信時には、バンドパスフィルタ９から出力される無線周波数帯の信号と局部発振器８１から出力される局部発振信号Ｌｏとを乗算して、ダウンコンバートした中間周波数帯の信号をバンドパスフィルタ１１へ出力する。ミキサ１０として、たとえば特開平６−３５０４７８号公報に記載されているようなデュアルゲートＦＥＴ（Field effect transistor）を用いることができる。
【００３０】
バンドパスフィルタ６は、送信時には、ミキサ１０から出力される無線周波数帯の信号から不要な信号成分を除去して、スイッチ６へ出力する。バンドパスフィルタ６は、受信時には、スイッチ６から出力される中間周波数帯の信号から不要な信号成分を除去して、ミキサ１０へ出力する。
【００３１】
スイッチ６は、端子Ｐ１と、端子Ｐ２と、端子Ｐ３とを有する。端子Ｐ１は、バンドパスフィルタ９を介してミキサ１０と接続する。端子Ｐ２は、経路（３）と接続する。端子Ｐ３は、経路（４）と接続する。送信時には、端子Ｐ１と端子Ｐ２とが接続することによって、ミキサ１０が、バンドパスフィルタ９を介して経路（３）と接続する。受信時には、端子Ｐ１と端子Ｐ３とが接続することによって、ミキサ１０が、バンドパスフィルタ９を介して経路（４）と接続する。
【００３２】
スイッチ８は、端子Ｐ１と、端子Ｐ２と、端子Ｐ３とを有する。端子Ｐ１と端子Ｐ２とは、経路（３）上にある。端子Ｐ１は端子Ｐ２よりも、スイッチ６側にある。端子Ｐ３は、抵抗Ｒを介してグランドに接続されることによって、固定電位と接続する。送信時には、端子Ｐ１と端子Ｐ２とが接続することによって、無線周波数帯の送信信号が経路（３）を流れる。受信時には、端子Ｐ１と端子Ｐ３とが接続することによって、経路（３）に無線周波数帯の送信信号が流れる順方向と逆方向にスイッチ６から漏れ出した受信信号の漏れ信号が流れるのを抑制する。
【００３３】
スイッチ７は、端子Ｐ１と、端子Ｐ２と、端子Ｐ３とを有する。端子Ｐ１と端子Ｐ２とは、経路（４）上にある。端子Ｐ１は端子Ｐ２よりも、スイッチ６側にある。端子Ｐ３は、抵抗Ｒを介してグランドに接続されることによって、固定電位と接続する。送信時には、端子Ｐ１と端子Ｐ２とが接続することによって、無線周波数帯の受信信号が経路（４）を流れる。送信時には、端子Ｐ１と端子Ｐ３とが接続することによって、経路（４）に無線周波数帯の受信信号が流れる順方向と逆方向にスイッチ６から漏れ出した送信信号の漏れ信号が流れるのを抑制する。
【００３４】
アンプ４は、スイッチ８から出力される無線周波数帯の信号を増幅して、サーキュレータ３へ出力する。
【００３５】
アンプ５は、サーキュレータ３から出力される無線周波数の信号を増幅して、スイッチ７へ出力する。
【００３６】
サーキュレータ３は、送信時には、アンプ４から出力される無線周波数の信号を送受信アンテナ２へ出力する。サーキュレータ３は、受信時には、送受信アンテナ２から出力される無線周波数の信号をアンプ５へ出力する。
【００３７】
送受信アンテナ２は、送信時には、サーキュレータ３から出力される無線周波数帯の信号を他の通信装置へ送信する。送受信アンテナ２は、受信時には、他の通信装置から無線周波数帯の信号を受信して、サーキュレータ３へ出力する。
【００３８】
（送信時の信号の流れ）
送信時には、ＤＡＣ１７→アンプ１５→スイッチ１３→スイッチ１２→バンドパスフィルタ１１→ミキサ１０→バンドパスフィルタ９→スイッチ６→スイッチ８→アンプ４→サーキュレータ３→送受信アンテナ２の順に信号が流れる。
【００３９】
スイッチ１２とスイッチ１４の２段のアイソレーション（約５０〜６０ｄＢ）は、従来のスイッチ１２だけのアイソレーション（約２５〜３０ｄＢ）よりも強力なので、アンプ１６へ漏れ出す信号を従来よりも低くすることができる。これによって、アンプ１６へ漏れ出した信号によって、ベースバンド処理部でなんらかの誤った処理が起こりにくくすることができる。
【００４０】
また、スイッチ６とスイッチ７の２段のアイソレーション（約５０〜６０ｄＢ）は、従来のスイッチ６だけのアイソレーション（約２５〜３０ｄＢ）よりも強力なので、アンプ５へ漏れ出す信号を従来よりも低くすることができる。これによって、漏れ出した信号によって、アンプ５を故障させたり、または寿命を短くしたりすることが起こりにくくすることができる。
【００４１】
（受信時の信号の流れ）
図２は、第１の実施形態の無線回路における受信時の信号の流れを説明するための図である。
【００４２】
図２を参照すると、受信時には、送受信アンテナ２→サーキュレータ３→アンプ５→スイッチ７→スイッチ６→バンドパスフィルタ９→ミキサ１０→バンドパスフィルタ１１→スイッチ１２→スイッチ１４→アンプ１６→ＡＤＣ１８に信号が流れる。
【００４３】
スイッチ６とスイッチ８の２段のアイソレーション（約５０〜６０ｄＢ）は、従来のスイッチ６だけのアイソレーション（約２５〜３０ｄＢ）よりも強力なので、アンプ４へ漏れ出す信号を従来よりも低くすることができる。これによって、アンプ４へ漏れ出した信号によって、送受信アンテナ２から何らかの意味のない信号が送信されにくくすることができる。
【００４４】
また、スイッチ１２とスイッチ１３の２段のアイソレーション（約５０〜６０ｄＢ）は、従来のスイッチ１２だけのアイソレーション（約２５〜３０ｄＢ）よりも強力なので、アンプ１５へ漏れ出す信号を従来よりも低くすることができる。これによって、漏れ出した信号によって、アンプ１５を故障させたり、または寿命を短くしたりすることが起こりにくくすることができる。
【００４５】
［第１の実施形態の変形例１］
図３は、第１の実施形態の変形例１の無線回路の構成と、この無線回路における送信時の信号の流れを説明するための図である。
【００４６】
図３の無線回路５１は、図１の無線回路１に含まれるスイッチ１４およびスイッチ８を含まない。
【００４７】
（送信時の信号の流れ）
送信時には、ＤＡＣ１７→アンプ１５→スイッチ１３→スイッチ１２→バンドパスフィルタ１１→ミキサ１０→バンドパスフィルタ９→スイッチ６→アンプ４→サーキュレータ３→送受信アンテナ２の順に信号が流れる。
【００４８】
スイッチ６とスイッチ７の２段のアイソレーション（約５０〜６０ｄＢ）は、従来のスイッチ６だけのアイソレーション（約２５〜３０ｄＢ）よりも強力なので、アンプ５へ漏れ出す信号を従来よりも低くすることができる。これによって、漏れ出した信号によって、アンプ５を故障させたり、または寿命を短くしたりすることが起こりにくくすることができる。
【００４９】
第１の実施形態と異なり、スイッチ１２からアンプ１６へ漏れ出す信号は、従来よりも低くすることができないが、アンプ１６へ漏れ出した信号がベースバンド処理部に悪影響を与えない場合、または悪影響を与えないように対策が講じられている場合には、問題とならない。
【００５０】
（受信時の信号の流れ）
図４は、第１の実施形態の変形例１の無線回路における受信時の信号の流れを説明するための図である。
【００５１】
図４を参照すると、受信時には、送受信アンテナ２→サーキュレータ３→アンプ５→スイッチ７→スイッチ６→バンドパスフィルタ９→ミキサ１０→バンドパスフィルタ１１→スイッチ１２→アンプ１６→ＡＤＣ１８に信号が流れる。
【００５２】
スイッチ１２とスイッチ１３の２段のアイソレーション（約５０〜６０ｄＢ）は、従来のスイッチ１２だけのアイソレーション（約２５〜３０ｄＢ）よりも強力なので、アンプ１５へ漏れ出す信号を従来よりも低くすることができる。これによって、漏れ出した信号によって、アンプ１５を故障させたり、または寿命を短くしたりすることが起こりにくくすることができる。
【００５３】
第１の実施形態と異なり、スイッチ６からアンプ４へ漏れ出す信号は、従来よりも低くすることができないが、アンプ４へ漏れ出した信号が送受信アンテナ２に悪影響を与えない場合、または悪影響を与えないように対策が講じられている場合には、問題とならない。
【００５４】
［第１の実施形態の変形例２］
図５は、第１の実施形態の変形例２の無線回路の構成と、この無線回路における送信時の信号の流れを説明するための図である。
【００５５】
図５の無線回路５２は、図１の無線回路１に含まれるスイッチ１３およびスイッチ７を含まない。
【００５６】
（送信時の信号の流れ）
送信時には、ＤＡＣ１７→アンプ１５→スイッチ１２→バンドパスフィルタ１１→ミキサ１０→バンドパスフィルタ９→スイッチ６→スイッチ８→アンプ４→サーキュレータ３→送受信アンテナ２の順に信号が流れる。
【００５７】
スイッチ１２とスイッチ１４の２段のアイソレーション（約５０〜６０ｄＢ）は、従来のスイッチ１２だけのアイソレーション（約２５〜３０ｄＢ）よりも強力なので、アンプ１６へ漏れ出す信号を従来よりも低くすることができる。これによって、アンプ１６へ漏れ出した信号によって、ベースバンド処理部でなんらかの誤った処理が起こりにくくすることができる。
【００５８】
第１の実施形態と異なり、スイッチ６からアンプ５へ漏れ出す信号は、従来よりも低くすることができないが、漏れ出した信号に対して、アンプ５が故障したり、または寿命が短くなったりしない場合には、問題とならない。
【００５９】
（受信時の信号の流れ）
図６は、第１の実施形態の変形例２の無線回路における受信時の信号の流れを説明するための図である。
【００６０】
図６を参照すると、受信時には、送受信アンテナ２→サーキュレータ３→アンプ５→スイッチ６→バンドパスフィルタ９→ミキサ１０→バンドパスフィルタ１１→スイッチ１２→スイッチ１４→アンプ１６→ＡＤＣ１８に信号が流れる。
【００６１】
スイッチ６とスイッチ８の２段のアイソレーション（約５０〜６０ｄＢ）は、従来のスイッチ６だけのアイソレーション（約２５〜３０ｄＢ）よりも強力なので、アンプ４へ漏れ出す信号を従来よりも低くすることができる。これによって、アンプ４へ漏れ出した信号によって、送受信アンテナ２から何らかの意味のない信号が送信されにくくすることができる。
【００６２】
第１の実施形態と異なり、スイッチ１２からアンプ１５へ漏れ出す信号は、従来よりも低くすることができないが、漏れ出した信号に対して、アンプ１５が故障したり、または寿命が短くなったりしない場合には、問題とならない。
【００６３】
［第２の実施形態］
図７は、第２の実施形態の無線回路の構成と、この無線回路における送信時の信号の流れを説明するための図である。
【００６４】
図７の無線回路５３は、図１の無線回路１に含まれるスイッチ１３、スイッチ１４、スイッチ８、スイッチ７の代わりに、サーキュレータ３３、サーキュレータ３２を備える。
【００６５】
サーキュレータ３３は、端子Ｐ１と、端子Ｐ２と、端子Ｐ３とを有する。端子Ｐ１と端子Ｐ２とは、経路（１）上にある。端子Ｐ２は端子Ｐ１よりも、スイッチ１２側にある。端子Ｐ３は、抵抗Ｒを介してグランドに接続されることによって、固定電位と接続する。送信時には、端子Ｐ１に入力された中間周波数帯の送信信号が端子Ｐ２から出力されることによって、中間周波数帯の送信信号が経路（１）を流れる。受信時には、端子Ｐ２に入力されるスイッチ１２から漏れ出した受信信号の漏れ信号が端子Ｐ１から出力されるのが抑制されることによって、経路（１）に中間周波数帯の送信信号が流れる順方向と逆方向にスイッチ１２から漏れ出した受信信号の漏れ信号が流れるのを抑制する。
【００６６】
サーキュレータ３２は、端子Ｐ１と、端子Ｐ２と、端子Ｐ３とを有する。端子Ｐ１と端子Ｐ２とは、経路（４）上にある。端子Ｐ２は端子Ｐ１よりも、スイッチ６側にある。端子Ｐ３は、抵抗Ｒを介してグランドに接続されることによって、固定電位と接続する。受信時には、端子Ｐ１に入力された無線周波数帯の受信信号が端子Ｐ２から出力されることによって、無線周波数帯の受信信号が経路（４）を流れる。送信時には、端子Ｐ２に入力されるスイッチ６から漏れ出した送信信号の漏れ信号が端子Ｐ１から出力されるのが抑制されることによって、経路（４）に無線周波数帯の受信信号が流れる順方向と逆方向にスイッチ６から漏れ出した送信信号の漏れ信号が流れるのを抑制する。
【００６７】
（送信時の信号の流れ）
送信時には、ＤＡＣ１７→アンプ１５→サーキュレータ３３→スイッチ１２→バンドパスフィルタ１１→ミキサ１０→バンドパスフィルタ９→スイッチ６→アンプ４→サーキュレータ３→送受信アンテナ２の順に信号が流れる。
【００６８】
スイッチ６とサーキュレータ３２の２段のアイソレーション（約５０〜６０ｄＢ）は、従来のスイッチ６だけのアイソレーション（約２５〜３０ｄＢ）よりも強力なので、アンプ５へ漏れ出す信号を従来よりも低くすることができる。これによって、漏れ出した信号によって、アンプ５を故障させたり、または寿命を短くしたりすることが起こりにくくすることができる。
【００６９】
第１の実施形態と異なり、スイッチ１２からアンプ１６へ漏れ出す信号は、従来よりも低くすることができないが、アンプ１６へ漏れ出した信号がベースバンド処理部に悪影響を与えない場合、または悪影響を与えないように対策が講じられている場合には、問題とならない。
【００７０】
（受信時の信号の流れ）
図８は、第２の実施形態の無線回路における受信時の信号の流れを説明するための図である。
【００７１】
図８を参照すると、受信時には、送受信アンテナ２→サーキュレータ３→アンプ５→サーキュレータ３２→スイッチ６→バンドパスフィルタ９→ミキサ１０→バンドパスフィルタ１１→スイッチ１２→アンプ１６→ＡＤＣ１８に信号が流れる。
【００７２】
スイッチ１２とサーキュレータ３３の２段のアイソレーション（約５０〜６０ｄＢ）は、従来のスイッチ１２だけのアイソレーション（約２５〜３０ｄＢ）よりも強力なので、アンプ１５へ漏れ出す信号を従来よりも低くすることができる。これによって、漏れ出した信号によって、アンプ１５を故障させたり、または寿命を短くしたりすることが起こりにくくすることができる。
【００７３】
第１の実施形態と異なり、スイッチ６からアンプ４へ漏れ出す信号は、従来よりも低くすることができないが、アンプ４へ漏れ出した信号が送受信アンテナ２に悪影響を与えない場合、または悪影響を与えないように対策が講じられている場合には、問題とならない。
【００７４】
［第３の実施系形態］
図９は、第３の実施形態の無線回路の構成を説明するための図である。
【００７５】
この無線回路５４が、図１の無線回路１に含まれるスイッチ１２の代わりにサーキュレータ３７を備え、スイッチ６の代わりにサーキュレータ３８を備える。
【００７６】
サーキュレータ３７は、端子Ｐ１と、端子Ｐ２と、端子Ｐ３とを有する。端子Ｐ１は、バンドパスフィルタ１１を介してミキサ１０と接続する。端子Ｐ３は、経路（１）と接続する。端子Ｐ２は、経路（２）と接続する。送信時には、端子Ｐ３に入力された中間周波数帯の送信信号が端子Ｐ１から出力されることによって、ミキサ１０が、バンドパスフィルタ１１を介して経路（１）と接続する。受信時には、端子Ｐ１に入力された中間周波数帯の受信信号が端子Ｐ２から出力されることによって、ミキサ１０が、バンドパスフィルタ１１を介して経路（２）と接続する。
【００７７】
サーキュレータ３８は、端子Ｐ１と、端子Ｐ２と、端子Ｐ３とを有する。端子Ｐ１は、バンドパスフィルタ９を介してミキサ１０と接続する。端子Ｐ２は、経路（３）と接続する。端子Ｐ３は、経路（４）と接続する。送信時には、端子Ｐ１に入力された無線周波数帯の送信信号が端子Ｐ２から出力されることによって、ミキサ１０が、バンドパスフィルタ９を介して経路（３）と接続する。受信時には、端子Ｐ３に入力された無線周波数帯の受信信号が端子Ｐ１から出力されることによって、ミキサ１０が、バンドパスフィルタ９を介して経路（４）と接続する。
【００７８】
（送信時の信号の流れ）
送信時には、ＤＡＣ１７→アンプ１５→スイッチ１３→サーキュレータ３７→バンドパスフィルタ１１→ミキサ１０→バンドパスフィルタ９→サーキュレータ３８→スイッチ８→アンプ４→サーキュレータ３→送受信アンテナ２の順に信号が流れる。
【００７９】
サーキュレータ３７とスイッチ１４の２段のアイソレーション（約５０〜６０ｄＢ）は、従来のスイッチ１２だけのアイソレーション（約２５〜３０ｄＢ）よりも強力なので、アンプ１６へ漏れ出す信号を従来よりも低くすることができる。これによって、アンプ１６へ漏れ出した信号によって、ベースバンド処理部でなんらかの誤った処理が起こりにくくすることができる。
【００８０】
また、サーキュレータ３８とスイッチ７の２段のアイソレーション（約５０〜６０ｄＢ）は、従来のスイッチ６だけのアイソレーション（約２５〜３０ｄＢ）よりも強力なので、アンプ５へ漏れ出す信号を従来よりも低くすることができる。これによって、漏れ出した信号によって、アンプ５を故障させたり、または寿命を短くしたりすることが起こりにくくすることができる。
【００８１】
（受信時の信号の流れ）
受信時には、送受信アンテナ２→サーキュレータ３→アンプ５→スイッチ７→サーキュレータ３８→バンドパスフィルタ９→ミキサ１０→バンドパスフィルタ１１→サーキュレータ３７→スイッチ１４→アンプ１６→ＡＤＣ１８に信号が流れる。
【００８２】
サーキュレータ３８とスイッチ８の２段のアイソレーション（約５０〜６０ｄＢ）は、従来のスイッチ６だけのアイソレーション（約２５〜３０ｄＢ）よりも強力なので、アンプ４へ漏れ出す信号を従来よりも低くすることができる。これによって、アンプ４へ漏れ出した信号によって、送受信アンテナ２から何らかの意味のない信号が送信されにくくすることができる。
【００８３】
また、サーキュレータ３７とスイッチ１３の２段のアイソレーション（約５０〜６０ｄＢ）は、従来のスイッチ１２だけのアイソレーション（約２５〜３０ｄＢ）よりも強力なので、アンプ１５へ漏れ出す信号を従来よりも低くすることができる。これによって、漏れ出した信号によって、アンプ１５を故障させたり、または寿命を短くしたりすることが起こりにくくすることができる。
【００８４】
［第４の実施形態］
図１０は、第４の実施形態の無線回路の構成を説明するための図である。
【００８５】
この無線回路５５は、図７の無線回路５３のスイッチ１２の代わりにサーキュレータ３７を備え、スイッチ６の代わりにサーキュレータ３８を備える。
【００８６】
（送信時の信号の流れ）
送信時には、ＤＡＣ１７→アンプ１５→サーキュレータ３３→サーキュレータ３７→バンドパスフィルタ１１→ミキサ１０→バンドパスフィルタ９→サーキュレータ３８→アンプ４→サーキュレータ３→送受信アンテナ２の順に信号が流れる。
【００８７】
サーキュレータ３８とサーキュレータ３２の２段のアイソレーション（約５０〜６０ｄＢ）は、従来のスイッチ６だけのアイソレーション（約２５〜３０ｄＢ）よりも強力なので、アンプ５へ漏れ出す信号を従来よりも低くすることができる。これによって、漏れ出した信号によって、アンプ５を故障させたり、または寿命を短くしたりすることが起こりにくくすることができる。
【００８８】
第３の実施形態と異なり、サーキュレータ３７からアンプ１６へ漏れ出す信号は、従来よりも低くすることができないが、アンプ１６へ漏れ出した信号がベースバンド処理部に悪影響を与えない場合、または悪影響を与えないように対策が講じられている場合には、問題とならない。
【００８９】
（受信時の信号の流れ）
受信時には、送受信アンテナ２→サーキュレータ３→アンプ５→サーキュレータ３２→サーキュレータ３８→バンドパスフィルタ９→ミキサ１０→バンドパスフィルタ１１→サーキュレータ３７→アンプ１６→ＡＤＣ１８に信号が流れる。
【００９０】
サーキュレータ３７とサーキュレータ３３の２段のアイソレーション（約５０〜６０ｄＢ）は、従来のスイッチ１２だけのアイソレーション（約２５〜３０ｄＢ）よりも強力なので、アンプ１５へ漏れ出す信号を従来よりも低くすることができる。これによって、漏れ出した信号によって、アンプ１５を故障させたり、または寿命を短くしたりすることが起こりにくくすることができる。
【００９１】
第１の実施形態と異なり、サーキュレータ３８からアンプ４へ漏れ出す信号は、従来よりも低くすることができないが、アンプ４へ漏れ出した信号が送受信アンテナ２に悪影響を与えない場合、または悪影響を与えないように対策が講じられている場合には、問題とならない。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９３】
１，５１，５２，５３，５４，５５，５６  無線回路、２  送受信アンテナ、３，３２，３３，３７，３８  サーキュレータ、４，５，１５，１６  アンプ、６，７，８，１２，１３，１４  スイッチ、９，１１  バンドパスフィルタ、１０  ミキサ、１７  ＤＡＣ、１８  ＡＤＣ、８１  局部発振器。
【図１】
2012151734.tif 000003
【図２】
2012151734.tif 000004
【図３】
2012151734.tif 000005
【図４】
2012151734.tif 000006
【図５】
2012151734.tif 000007
【図６】
2012151734.tif 000008
【図７】
2012151734.tif 000009
【図８】
2012151734.tif 000010
【図９】
2012151734.tif 000011
【図１０】
2012151734.tif 000012
【図１１】
2012151734.tif 000013
【図１２】
2012151734.tif 000014